(57)【要約】【課題】複数の記録媒体の中から所望の記録媒体を他の記録媒体に簡便に連続記録するオーディオ装置を提供する。【解決手段】複数の記録媒体を再生して他の記録媒体に記録する際に、連続記録を行う以前に最後に再生された記録媒体を最初に選択して再生手段１により再生し、最初に選択されて再生される記録媒体の記録形式がＣＤ−ＤＡ形式である場合は、最初に選択された記録媒体を除く複数の記録媒体の中からＣＤ−ＤＡ形式の記録媒体のみを選択して連続再生し他の記録媒体に記録手段９において連続記録し、最初に選択されて再生される記録媒体の記録形式がＣＤ−ＤＡ形式でない場合は、最初に選択された記録媒体のみを再生して他の記録媒体に記録するように構成した制御手段１４を備えて構成する。【選択図】  図１
2004319040.tif 000002
【特許請求の範囲】
【請求項１】
記録形式が異なる記録媒体を含む複数の記録媒体を再生可能な再生手段と、当該再生手段によって再生された再生信号を他の記録媒体に記録する記録手段と、前記再生手段による再生と記録手段による記録を制御する制御手段とを備えたオーディオ装置であって、
前記制御手段は、前記複数の記録媒体を再生して他の記録媒体に記録する際に、前記複数記録媒体の中から最初に選択されて再生される記録媒体の記録形式がＣＤ−ＤＡ形式である場合は、当該最初に選択された記録媒体を除く前記複数の記録媒体の中からＣＤ−ＤＡ形式の記録媒体のみを選択して連続再生して他の記録媒体に連続記録し、最初に選択されて再生される前記記録媒体の記録形式がＣＤ−ＤＡ形式でない場合は、当該最初に選択された記録媒体のみを再生して他の記録媒体に記録する制御を行うように構成したことを特徴とするオーディオ装置。
【請求項２】
前記制御手段は、前記再生手段により再生して連続記録を行う際に、当該連続記録を行う以前に最後に再生された記録媒体を前記複数記録媒体の中から最初に選択して再生して他の記録媒体に記録するように構成したことを特徴とする請求項１記載のオーディオ装置。
【請求項３】
記録形式が異なる記録媒体を含む複数の記録媒体を再生可能な再生手段と、当該再生手段によって再生された再生信号を他の記録媒体に記録する記録手段と、前記再生手段による再生と記録手段による記録を制御する制御手段とを備えたオーディオ装置であって、
前記制御手段は、前記複数の記録媒体を再生して他の記録媒体に記録する際に、前記複数記録媒体の中から最初に選択されて再生される前記記録媒体の記録時間が８０分以下である場合は、当該最初に選択された記録媒体を除く前記複数の記録媒体の中から記録時間が８０分以下の記録媒体のみを選択して連続再生して他の記録媒体に連続記録し、最初に選択されて再生される前記記録媒体の記録時間が８０分以下でない場合は、当該最初に選択された記録媒体のみを再生して他の記録媒体に記録する制御を行うように構成したことを特徴とするオーディオ装置。
【請求項４】
前記制御手段は、前記再生手段により再生して連続記録を行う際に、当該連続記録を行う以前に最後に再生された記録媒体を前記複数記録媒体の中から最初に選択して再生して他の記録媒体に記録するように構成したことを特徴とする請求項３記載のオーディオ装置。
【発明の詳細な説明】
【０００１】
【発明の属する技術分野】
本発明は、記録形式が異なる記録媒体を含む複数の記録媒体を再生して他の記録媒体に連続記録するオーディオ装置に関するものである。
【０００２】
【従来の技術】
従来、複数の記録媒体を他の記録媒体に連続記録するオーディオ装置は、連続記録を行う前に、複数の記録媒体の記録媒体情報を読み込んでおく制御手段を有するものが知られている（例えば、特許文献１参照。）。
【０００３】
図４は、従来のオーディオ装置を示すので、複数の記録媒体を再生手段１により再生して、記録手段９により他の記録媒体に連続記録する例を示している。
【０００４】
同図４において、再生手段１は、複数の記録媒体（ＣＤ）を収納するチェンジャー部２、前記複数のＣＤの中から再生するＣＤを選択して信号読取部４に輸送する輸送手段３、前記輸送手段３により輸送されたＣＤの信号を読み取る信号読取部４、前記信号読取部４により読み取られた信号からオーディオ信号を抽出し変換して出力する再生信号出力部５、前記チェンジャー部２を制御するチェンジャー制御部６、前記信号読取部４により読み取られた信号から記録媒体情報を抽出し変換して出力する記録媒体情報デコーダ７、前記信号読取部４を制御する信号読取制御部８により構成される。
【０００５】
また、記録手段９は、前記再生信号出力部５から出力されたオーディオ信号を他の記録媒体（ＭＤやＣＤ−Ｒ）に記録するための信号に変換して出力する記録信号入力部１０、記録媒体情報を前記ＭＤやＣＤ−Ｒに記録するための信号に変換して出力する記録媒体情報エンコーダ１２、前記記録信号入力部１０と前記記録媒体情報エンコーダ１２から出力された信号を前記ＭＤやＣＤ−Ｒに記録する信号記録部１１、前記信号記録部１１を制御する信号記録制御部１３により構成される。
【０００６】
そして、前記記録媒体情報デコーダ７から出力された信号を前記記録媒体情報エンコーダ１２に出力し、前記信号読取制御部８に再生の指示を出し、前記信号記録制御部１３に記録の指示を出し、操作部１８の操作を検出し、表示部１９に装置の動作状況を出力するシステムコントローラ１７により構成される制御手段１４備え、更に、利用者が操作を入力する操作部１８、装置の動作状況を表示する表示部１９が構成されている。
【０００７】
図５は従来の、複数の記録媒体を他の記録媒体に連続記録するオーディオ装置の制御手段のフローチャートを示し、記録を行うＣＤを選択する（ステップＳ５１）と、連続記録を開始し（ステップＳ５２）、１枚目のＣＤの記録を実行し（ステップＳ５３）、その記録を終了（ステップＳ５４）すると、２枚目、３枚目のＣＤの記録を実行及びその終了が順次行われる（ステップＳ５５〜Ｓ５８）。そして、ステップＳ５９で連続記録が終了する。
【０００８】
ここで、図４、図５において、制御手段は連続記録を行う前に、利用者が複数の記録媒体の中から記録を行う記録媒体を操作部１８により選択するように構成されている。
【０００９】
【特許文献１】
特許第３２３５２３１号公報
【００１０】
【発明が解決しようとする課題】
このような複数の記録媒体を他の記録媒体に連続記録するオーディオ装置においては、チェンジャー部２に収納されるＣＤ等の記録媒体として、再生のために常に収納されている記録媒体（例えばＣＤ−ＤＡ形式のＣＤ）と、他の記録媒体への記録のために一時的に収納されている記録形式が異なる記録媒体（例えば各種の圧縮形式で記録されたＣＤ）とが混在して収納されていることがある。ここで、この圧縮形式で記録されたＣＤの場合、ＣＤ−ＤＡ形式で記録されたＣＤに比べて、１０〜２０倍のデータが記録されているものがある。
【００１１】
このような記録形式が異なる記録媒体が混在している場合で、連続記録を行う前に、利用者が複数の記録媒体の中から記録を行う記録媒体を選択したり、記録を行わない記録媒体をオーディオ装置から排出しておく必要があり、簡便な連続記録を実現できないという問題がある。
【００１２】
本発明は、連続記録を行う前に、利用者が複数の記録媒体の中から記録を行う記録媒体を選択したり、記録を行わない記録媒体をオーディオ装置から排出しなくても、記録形式が異なる記録媒体を含む複数の記録媒体の中から所望の記録形式の記録媒体を他の記録媒体に簡便に連続記録するオーディオ装置を提供することを目的としてなされたものである。
【００１３】
【課題を解決するための手段】
これらの課題を解決するために本発明のオーディオ装置は、記録形式が異なる記録媒体を含む複数の記録媒体を再生可能な再生手段と、当該再生手段によって再生された再生信号を他の記録媒体に記録する記録手段と、前記再生手段による再生と記録手段による記録を制御する制御手段とを備えたオーディオ装置であって、前記制御手段は、前記複数の記録媒体を再生して他の記録媒体に記録する際に、前記複数記録媒体の中から最初に選択されて再生される記録媒体の記録形式がＣＤ−ＤＡ形式である場合は、当該最初に選択された記録媒体を除く前記複数の記録媒体の中からＣＤ−ＤＡ形式の記録媒体のみを選択して連続再生して他の記録媒体に連続記録し、最初に選択されて再生される前記記録媒体の記録形式がＣＤ−ＤＡ形式でない場合は、当該最初に選択された記録媒体のみを再生して他の記録媒体に記録する制御を行うように構成したものである。
【００１４】
これにより、連続記録を行う前に、利用者が複数の記録媒体の中から記録を行う記録媒体を選択したり、記録を行わない記録媒体をオーディオ装置から排出しなくても、記録形式が異なる記録媒体を含む複数の記録媒体の中から所望の記録形式の記録媒体を他の記録媒体に簡便に連続記録することができるものである。
【００１５】
【発明の実施の形態】
本発明の請求項１に記載の発明は、記録形式が異なる記録媒体を含む複数の記録媒体を再生可能な再生手段と、当該再生手段によって再生された再生信号を他の記録媒体に記録する記録手段と、前記再生手段による再生と記録手段による記録を制御する制御手段とを備えたオーディオ装置であって、前記制御手段は、前記複数の記録媒体を再生して他の記録媒体に記録する際に、前記複数記録媒体の中から最初に選択されて再生される記録媒体の記録形式がＣＤ−ＤＡ形式である場合は、当該最初に選択された記録媒体を除く前記複数の記録媒体の中からＣＤ−ＤＡ形式の記録媒体のみを選択して連続再生して他の記録媒体に連続記録し、最初に選択されて再生される前記記録媒体の記録形式がＣＤ−ＤＡ形式でない場合は、当該最初に選択された記録媒体のみを再生して他の記録媒体に記録する制御を行うように構成したものである。
【００１６】
最初に選択されて再生される記録媒体が、利用者が記録を行いたい記録媒体である場合に、連続記録を行う前に、利用者が複数の記録媒体の中から記録を行う記録媒体を選択したり、記録を行わない記録媒体をオーディオ装置から排出しなくても、記録形式が異なる記録媒体を含む複数の記録媒体の中から所望の記録形式の記録媒体を他の記録媒体に簡便に連続記録することができるという作用を有する。
【００１７】
請求項２に記載の発明は、前記制御手段は、前記再生手段により再生して連続記録を行う際に、当該連続記録を行う以前に最後に再生された記録媒体を前記複数記録媒体の中から最初に選択して再生して他の記録媒体に記録するように構成したものであり、連続記録を行う前に、利用者が複数の記録媒体の中から記録を行う記録媒体を選択したり、記録を行わない記録媒体をオーディオ装置から排出しなくても、記録形式が異なる記録媒体を含む複数の記録媒体の中から、前回再生した所望の記録媒体を再生することができるという作用を有する。
【００１８】
請求項３に記載の発明は、記録形式が異なる記録媒体を含む複数の記録媒体を再生可能な再生手段と、当該再生手段によって再生された再生信号を他の記録媒体に記録する記録手段と、前記再生手段による再生と記録手段による記録を制御する制御手段とを備えたオーディオ装置であって、前記制御手段は、前記複数の記録媒体を再生して他の記録媒体に記録する際に、前記複数記録媒体の中から最初に選択されて再生される前記記録媒体の記録時間が８０分以下である場合は、当該最初に選択された記録媒体を除く前記複数の記録媒体の中から記録時間が８０分以下の記録媒体のみを選択して連続再生して他の記録媒体に連続記録し、最初に選択されて再生される前記記録媒体の記録時間が８０分以下でない場合は、当該最初に選択された記録媒体のみを再生して他の記録媒体に記録する制御を行うように構成したものであり、最初に選択されて再生される記録媒体が、利用者が記録を行いたい記録媒体である場合に、連続記録を行う前に、利用者が複数の記録媒体の中から記録を行う記録媒体を選択したり、記録を行わない記録媒体をオーディオ装置から排出しなくても、記録形式が異なる記録媒体を含む複数の記録媒体の中から所望の記録媒体を他の記録媒体に簡便に連続記録することができるという作用を有する。
【００１９】
請求項４に記載の発明は、前記制御手段は、前記再生手段により再生して連続記録を行う際に、当該連続記録を行う以前に最後に再生された記録媒体を前記複数記録媒体の中から最初に選択して再生して他の記録媒体に記録するように構成したものであり、連続記録を行う前に、利用者が複数の記録媒体の中から記録を行う記録媒体を選択したり、記録を行わない記録媒体をオーディオ装置から排出しなくても、記録形式が異なる記録媒体を含む複数の記録媒体の中から、前回再生した所望の記録媒体を再生することができるという作用を有する。
【００２０】
（実施の形態１）
図１は本発明の第１の実施の形態における、オーディオ装置を示すブロック図であり、複数の記録媒体を再生手段１により再生して、記録手段９により他の記録媒体に連続記録する
再生手段１は、複数の記録媒体（ＣＤ）を収納するチェンジャー部２、前記複数のＣＤの中から再生するＣＤを選択して信号読取部４に輸送する輸送手段３、前記輸送手段３により輸送されたＣＤの信号を読み取る信号読取部４、前記信号読取部４により読み取られた信号からオーディオ信号を抽出し変換して出力する再生信号出力部５、前記チェンジャー部２を制御するチェンジャー制御部６、前記信号読取部４により読み取られた信号から記録媒体情報を抽出し変換して出力する記録媒体情報デコーダ７、前記信号読取部４を制御する信号読取制御部８により構成されている。
【００２１】
前記記録手段９は、再生信号出力部５から出力されたオーディオ信号を他の記録媒体（ＭＤやＣＤ−Ｒ）に記録するための信号に変換して出力する記録信号入力部１０、記録媒体情報を前記ＭＤやＣＤ−Ｒに記録するための信号に変換して出力する記録媒体情報エンコーダ１２、前記記録信号入力部１０と前記記録媒体情報エンコーダ１２から出力された信号を前記ＭＤやＣＤ−Ｒに記録する信号記録部１１、前記信号記録部１１を制御する信号記録制御部１３により構成されている。
【００２２】
１４は制御手段であり、前記チェンジャー制御部６の動作を記憶するチェンジャー動作記憶部１５、前記記録媒体情報デコーダ７の情報を解析する記憶媒体情報解析部１６、システムコントローラ１７により構成される。そのシステムコントローラ１７は、前記チェンジャー動作記憶部１５により記憶された過去のチェンジャー動作の内容から連続記録を行う以前に最後に再生されたＣＤを認定し、前記チェンジャー部２に収納された複数のＣＤの中から当該ＣＤを選択するように前記チェンジャー制御部６に指示を出し、前記記憶媒体解析部１６により解析された結果に基づき前記チェンジャー制御部６に指示を出し、前記記録媒体情報デコーダ７から出力された信号を前記記録媒体情報エンコーダ１２に出力し、前記信号読取制御部８に再生の指示を出し、前記信号記録制御部１３に記録の指示を出し、操作部１８の操作を検知し、表示部１９に装置の動作状況を出力するものである。
【００２３】
利用者が操作を入力する操作部１８、装置の動作状況を表示する表示部１９とにより構成されている。
【００２４】
図２は本発明の第１の実施の形態における、複数の記録媒体を他の記録媒体に連続記録するオーディオ装置の制御手段のフローチャートを示す。
【００２５】
以上のように構成された複数の記録媒体を他の記録媒体に連続記録するオーディオ装置について、以下その動作について説明する。
【００２６】
まず利用者が操作部１８により連続記録ボタンを押すと、システムコントローラ１７はチェンジャー動作記憶部１５に記憶された過去のチェンジャー動作の内容から連続記録を行う以前に最後に再生されたＣＤを認定し、チェンジャー部２に収納された複数のＣＤの中から当該ＣＤを選択するようにチェンジャー制御部６に指示を出す（ステップＳ１）。ここで、複数のＣＤを再生可能なオーディオ装置においては、再生のために常習的に収納されているＣＤ−ＤＡ形式のＣＤと、記録のために一時的に収納されている例えば各種の圧縮形式で記録されてデータ量がＣＤ−ＤＡ形式のものに比べて１０〜２０倍のデータを有するＣＤとがオーディオ装置内に混在して収納されていることがあるが、連続記録を行う前に記録を行いたいＣＤを再生して確認することが多い。そのため、連続記録を行おうとする以前に最後に再生されたＣＤは、利用者が記録を行いたいＣＤ−ＤＡ形式のＣＤであると考えられる。
【００２７】
次に、チェンジャー部２により選択されたＣＤは信号読取部４に移送された後、記録媒体情報デコーダ７により記録媒体情報が抽出され読み取られる。記録媒体情報デコーダ７により読み取られた記録媒体情報は記録媒体情報解析部１６によりＣＤの記録形式が解析され、その結果はシステムコントローラ１７へ伝達され、その形式がＣＤ−ＤＡ形式のＣＤか判断される（ステップＳ２）。
【００２８】
その最初に選択されたＣＤの記録形式がＣＤ−ＤＡ形式である場合は、システムコントローラ１７は当該ＣＤを再生するように信号読取制御部８に指示を出すとともに、ＭＤやＣＤ−Ｒに記録するように信号記録制御部１３に指示を出して記録を実行する（ステップＳ３）。当該ＣＤの再生終了後、システムコントローラ１７は記録を一時停止するように信号記録制御部１３に指示を出す（ステップＳ４）とともに、信号読取部４にある当該ＣＤをチェンジャー部２に収納し、チェンジャー部２に収納された複数のＣＤの中から２枚目のＣＤを選択するようにチェンジャー制御部６に指示を出す。チェンジャー部２により選択された２枚目のＣＤは信号読取部４に移送された後、記録媒体情報デコーダ７により記録媒体情報が抽出され読み取られる（ステップＳ５）。記録媒体情報デコーダ７により読み取られた記録媒体情報は記録媒体情報解析部１６によりＣＤの記録形式が解析され、その結果はシステムコントローラ１７へ伝達される。システムコントローラ１７は、２枚目に選択されたＣＤの記録形式がＣＤ−ＤＡ形式である場合は、ステップＳ６〜Ｓ７へと進み、当該ＣＤを再生するように信号読取制御部８に指示を出すとともに、ＭＤやＣＤ−Ｒに記録するように信号記録制御部１３に指示を出し、２枚目に選択されたＣＤの記録形式がＣＤ−ＤＡ形式でない場合は、このステップＳ６〜Ｓ７をパスしてステップ８へ進み、当該ＣＤを再生せずにチェンジャー部２に収納するようにチェンジャー制御部６に指示を出す。以下、最後に選択されるＣＤまで同様の動作（ステップＳ８〜Ｓ１１）を繰り返し、連続記録動作を終了する。これにより、最初に選択されたＣＤの記録形式がＣＤ−ＤＡ形式である場合は、複数のＣＤの中から記録形式がＣＤ−ＤＡ形式であるＣＤのみが再生されＭＤやＣＤ−Ｒに記録される。
【００２９】
一方、ステップＳ２で、最初に選択されたＣＤの記録形式がＣＤ−ＤＡ形式でない場合は、システムコントローラ１７は、ステップ１２に進んで、当該ＣＤを再生するように信号読取制御部８に指示を出すとともに、ＭＤやＣＤ−Ｒに記録するように信号記録制御部１３に指示を出す。当該ＣＤの再生終了（ステップＳ１３）後、連続記録動作を終了する（ステップＳ１４）。これにより、最初に選択されたＣＤの記録形式がＣＤ−ＤＡ形式でない場合は、当該ＣＤのみが再生されＭＤやＣＤ−Ｒに記録される。
【００３０】
ＣＤ−ＤＡ形式でないＣＤとして、ＭＰ３などの圧縮音楽データを記録可能なＩＳＯ９６６０形式がある。ＩＳＯ９６６０形式のＣＤは、利用者が既にＣＤ−ＤＡ形式のＣＤを再生して記録したＣＤが多い。したがって、オーディオ装置に収納された複数のＣＤの中で、利用者が新たにＭＤやＣＤ−Ｒに記録を行いたいＣＤはＣＤ−ＤＡ形式のＣＤだけであると考えられる。また、ＩＳＯ９６６０形式のＣＤには、圧縮音楽データを記録できるため、ＣＤ−ＤＡ形式のＣＤに比べ１０倍程度の長時間記録ができる。このため、ＩＳＯ９６６０形式のＣＤをＭＤやＣＤ−Ｒに記録した場合、オーディオ装置に収納された複数のＣＤの中で当該ＣＤ以降に選択されるＣＤに含まれる音楽データの全てをＭＤやＣＤ−Ｒに記録できない場合が多い。そこで、利用者が新たにＭＤやＣＤ−Ｒに記録を行いたいＣＤの記録形式がＣＤ−ＤＡ形式でない場合は、当該ＣＤのみを記録することが望ましいと考えられる。
【００３１】
以上のように本実施形態によれば、連続記録を行う前に、利用者が複数の記録媒体の中から記録を行う記録媒体を選択したり、記録を行わない記録媒体をオーディオ装置から排出しなくても、複数の記録媒体の中から所望の記録媒体を簡便に連続記録することができることとなる。
【００３２】
（実施の形態２）
図３は本発明の第２の実施の形態における、記録形式が異なる複数の記録媒体を他の記録媒体に連続記録するオーディオ装置の制御手段のフローチャートを示す。
【００３３】
この実施形態では、実施の形態１の場合と異なる点は、図２のステップＳ２、Ｓ６、Ｓ８の部分の判断のベースが異なる点である。すなわち、図２のステップＳ２、Ｓ６、Ｓ８では、記録媒体情報デコーダ７により読み取られた記録媒体情報は記録媒体情報解析部１６によりＣＤの記録形式が解析され、その結果はシステムコントローラ１７へ伝達され、その形式がＣＤ−ＤＡ形式のＣＤか判断されるのに対して、ステップＳ２２、Ｓ２６、Ｓ２８においては、記録媒体情報デコーダ７により読み取られた記録媒体情報は記録媒体情報解析部１６によりＣＤの記録時間が解析され、その結果はシステムコントローラ１７へ伝達される。ここで、ＣＤの記録時間が８０分以下である場合は、ＣＤ−ＤＡ形式のＣＤと同様のステップの処理となり、８０分以下の場合はＣＤ−ＤＡ形式以外のＣＤの場合と同様のステップの処理となる。
【００３４】
ここで、記録時間が８０分以下であるＣＤとしてＣＤ−ＤＡ形式のＣＤがあり、記録時間が８０分以下でないＣＤとして、ＭＰ３などの圧縮音楽データを記録可能なＩＳＯ９６６０形式がある。ＩＳＯ９６６０形式のＣＤは、利用者が既にＣＤ−ＤＡ形式のＣＤを再生して記録したＣＤが多い。したがって、オーディオ装置に収納された複数のＣＤの中で、利用者が新たにＭＤやＣＤ−Ｒに記録を行いたいＣＤは記録時間が８０分以下であるＣＤだけであると考えられる。また、ＩＳＯ９６６０形式のＣＤには、圧縮音楽データを記録できるため、ＣＤ−ＤＡ形式のＣＤに比べ１０倍程度の長時間記録ができる。このため、ＩＳＯ９６６０形式のＣＤをＭＤやＣＤ−Ｒに記録した場合、オーディオ装置に収納された複数のＣＤの中で当該ＣＤ以降に選択されるＣＤに含まれる音楽データの全てをＭＤやＣＤ−Ｒに記録できない場合が多い。そこで、利用者が新たにＭＤやＣＤ−Ｒに記録を行いたいＣＤの記録時間が８０分以下でない場合は、当該ＣＤのみを記録することが望ましいと考えられる。
【００３５】
以上のように本実施形態によれば、連続記録を行う前に、利用者が複数の記録媒体の中から記録を行う記録媒体を選択したり、記録を行わない記録媒体をオーディオ装置から排出しなくても、複数の記録媒体の中から所望の記録媒体を簡便に連続記録することができることとなる。
【００３６】
【発明の効果】
以上のように本発明によれば、記録形式が異なる記録媒体を含む複数の記録媒体を再生可能な再生手段と、当該再生手段によって再生された再生信号を他の記録媒体に記録する記録手段と、前記再生手段による再生と記録手段による記録を制御する制御手段とを備えたオーディオ装置であって、前記制御手段は、前記複数の記録媒体を再生して他の記録媒体に記録する際に、前記複数記録媒体の中から最初に選択されて再生される記録媒体の記録形式がＣＤ−ＤＡ形式である場合は、当該最初に選択された記録媒体を除く前記複数の記録媒体の中からＣＤ−ＤＡ形式の記録媒体のみを選択して連続再生して他の記録媒体に連続記録し、最初に選択されて再生される前記記録媒体の記録形式がＣＤ−ＤＡ形式でない場合は、当該最初に選択された記録媒体のみを再生して他の記録媒体に記録する制御を行うように構成したものであり、最初に選択されて再生される記録媒体が、利用者が記録を行いたい記録媒体である場合に、連続記録を行う前に、利用者が複数の記録媒体の中から記録を行う記録媒体を選択したり、記録を行わない記録媒体をオーディオ装置から排出しなくても、記録形式が異なる記録媒体を含む複数の記録媒体の中から所望の記録形式の記録媒体を他の記録媒体に簡便に連続記録することができるという作用を有する。
【図面の簡単な説明】
【図１】本発明の一実施の形態によるオーディオ装置のブロック図
【図２】同制御手段のフローチャート
【図３】本発明の二一実施の形態によるオーディオ装置の制御手段のフローチャート
【図４】従来のオーディオ装置のブロック図
【図５】同制御手段のフローチャート
【符号の説明】
１  再生手段
２  チェンジャー部
３  輸送手段
４  信号読取部
５  再生信号出力部
６  チェンジャー制御部
７  記録媒体情報デコーダ
８  信号読取制御部
９  記録手段
１０  記録信号入力部
１１  信号記録部
１２  記録媒体情報エンコーダ
１３  信号記録制御部
１４  制御手段
１５  チェンジャー動作記憶部
１６  記録媒体情報解析部
１７  システムコントローラ
１８  操作部
１９  表示部
【図１】
2004319040.tif 000003
【図２】
2004319040.tif 000004
【図３】
2004319040.tif 000005
【図４】
2004319040.tif 000006
【図５】
2004319040.tif 000007